(57)【特許請求の範囲】
【請求項１】
底面網と４つの側面網とを有する四角い箱形をした篭本体に、吊り上げ用の線条部材を取り付けることにより形成され、
前記線条部材は、相対する２つの線条部分からなっていて、該２つの線条部分は、相対する一対の側面網の一方と他方とに篭本体の内側から網目を縫うように挿通されて中間部が該側面網に非固定状態に係合し、２つの線条部分の下端部は、前記篭本体の内部を斜め下向きに延びて前記底面網に係止され、２つの線条部分の上端部は、前記篭本体の上方に延びてリフタ手段に吊り掛け可能とされていることを特徴とする吊り上げ式石詰篭。
【請求項２】
前記線条部材の２つの線条部分は、独立する線材によって別々に形成され、該２つの線条部分の下端部が底面網の中央部に係止されていることを特徴とする請求項１に記載の吊り上げ式石詰篭。
【請求項３】
前記線条部材の２つの線条部分は、連続する１つの線材で一体に形成されていることを特徴とする請求項１に記載の吊り上げ式石詰篭。
【請求項４】
四角い箱形をした篭本体における相対する一対の側面網の一方と他方とに、吊り上げ用の線条部材を形成する２つの線条部分の一方と他方とを網目を縫うように挿通し、各線条部分の中間部を前記側面網に非固定状態に係合させると共に、各線条部分の下端部を前記底面網に係止させ、各線条部分の上端部を前記篭本体の上方に延在させる線条部材取付工程、
前記篭本体の内部に栗石を充填する石詰工程、
前記線条部材の上端部をリフタ手段に吊り掛け、該リフタ手段で石詰篭を吊り上げて目的の場所に運搬する運搬工程、
を有することを特徴とする石詰篭の運搬方法。
【発明の詳細な説明】
【技術分野】
【０００１】
本発明は、内部に石詰めした状態で吊り上げることができる吊り上げ式石詰篭と、この石詰篭を吊り上げて運搬する方法とに関するものである。
【背景技術】
【０００２】
例えば、護岸工事や道路工事等の各種工事に使用される石詰篭（角形蛇篭）は、菱形金網によって六面体状に形成され、その設置に当たっては、空の石詰篭を工事現場に運搬して所定の場所に配置したあと、別途に搬入した栗石を充填するのが一般的であった。ところが、この場合の作業の主体は人力であるため、工事が完成するまでに多くの手数と時間とが必要であり、効率的とはいえなかった。
【０００３】
このような問題を解決するため、特許文献１−特許文献５には、石詰篭に骨材である栗石を詰めることにより必要量の栗石が予め充填された石詰篭を形成し、この石詰篭を施工現場へ搬送して設置する方法が開示されている。この方法によれば、石詰篭と骨材とを施工現場に別々に搬送する必要がなく、しかも、現場での充填作業も必要ないため、作業が大幅に簡略化されることになる。
【０００４】
しかし、これらの公知例は、栗石が充填された大重量の石詰篭を吊り上げるため、該石詰篭を特殊で頑丈な構造にするか、特殊なリフタ手段を用いる必要があり、吊り上げのための構造が複雑であったり、栗石の重量によって石詰篭の底面が下方に湾曲し易いなどの問題がある。
【０００５】
即ち、特許文献１に記載のものは、石詰篭の胴網及び側網の上下端を横杆で補強すると共に、上下の横杆の間に縦杆を掛け渡し、該縦杆の上端に逆Ｕ字形の吊り手を溶接により固定し、この吊り手にクレーンのフックを掛けて吊り上げるようにしており、石詰篭の補強構造が複雑である。
【０００６】
また、特許文献２に記載のものは、石詰篭の上面四隅に上向きに延びる吊りフックを形成し、これらの吊りフックに吊込装置の垂下フックを係止させて石詰篭を吊り上げるようにしており、石詰篭の底面が下方に湾曲し易いという問題がある。
【０００７】
更に、特許文献３に記載のものは、石詰篭の内部に変形防止用の矩形の保護枠体を取り付けて石詰めしたあと、相対する一対の側面網の列線内にバー状の金物部材を挿通して係止させ、この金物部材にワイヤロープを掛けて石詰篭を吊り上げ、運搬後に前記保護枠体を取り外すようにしており、作業が面倒である。
【０００８】
また、特許文献４に記載のものは、リフタ手段として厚鋼板や型鋼等を組み合わせて溶接加工したものを使用しているため、該リフタ手段の構成が非常に複雑である。
更に、特許文献５に記載のものは、相対する一対の側面網における列線の内部に、ワイヤロープを掛けるためのバー状の係止部材を挿通しなければならない。
【先行技術文献】
【特許文献】
【０００９】
【特許文献１】実開昭６１−２３３１７号公報
【特許文献２】特開平５−１３２９１４号公報
【特許文献３】特開平７−１０９７１８号公報
【特許文献４】特開２００２−９７６１６号公報
【特許文献５】特開２００７−２２４６０２号公報
【発明の概要】
【発明が解決しようとする課題】
【００１０】
本発明の目的は、石詰篭に簡単な線条部材を付加するだけで、栗石が充填された大重量の石詰篭を底面が下方に湾曲しないように吊り上げて運搬することができる、簡易で効率的な技術手段を提供することにある。
【課題を解決するための手段】
【００１１】
前記目的を達成するため本発明の吊り上げ式石詰篭は、底面網と４つの側面網とを有する四角い箱形をした篭本体に、吊り上げ用の線条部材を取り付けることにより形成され、前記線条部材は、相対する２つの線条部分からなっていて、該２つの線条部分は、相対する一対の側面網の一方と他方とに篭本体の内側から網目を縫うように挿通されて中間部が該側面網に非固定状態に係合し、２つの線条部分の下端部は、前記篭本体の内部を斜め下向きに延びて前記底面網に係止され、２つの線条部分の上端部は、前記篭本体の上方に延びてリフタ手段に吊り掛け可能とされていることを特徴とするものである。
【００１２】
前記線条部材の２つの線条部分は、独立する線材によって別々に形成され、下端部が底面網の中央部係止されていても、あるいは、連続する１つの線材で一体に形成されていても良い。
【００１３】
また、本発明に係る石詰篭の運搬方法は、四角い箱形をした篭本体における相対する一対の側面網の一方と他方とに、吊り上げ用の線条部材を形成する２つの線条部分の一方と他方とを網目を縫うように挿通し、各線条部分の中間部を前記側面網に非固定状態に係合させると共に、各線条部分の下端部を前記底面網に係止させ、各線条部分の上端部を前記篭本体の上方に延在させる線条部材取付工程と、前記篭本体の内部に栗石を充填する石詰工程と、前記線条部材の上端部をリフタ手段に吊り掛け、該リフタ手段で石詰篭を吊り上げて目的の場所に運搬する運搬工程とを有することを特徴とする。
【発明の効果】
【００１４】
本発明によれば、石詰篭に線条部材を付加するという簡単な構成により、栗石が充填された大重量の石詰篭を前記線条部材により底面が下方に湾曲しないように吊り上げて運搬することができる。
【図面の簡単な説明】
【００１５】
【図１】本発明に係る石詰篭の一実施形態を示す石詰め前の状態の斜視図である。
【図２】図１の石詰篭を線条部材に近接する位置で断面にして示す断面図である。
【図３】図２の要部拡大図である。
【図４】菱形金網の列線の係合部に骨線を挿通した状態を示す要部断面図である。
【発明を実施するための形態】
【００１６】
図は本発明に係る石詰篭の一実施形態を示すもので、この石詰篭１は、菱形金網製の篭本体１０に吊り上げ用の線条部材２０を取り付けることにより形成されている。
【００１７】
前記篭本体１０は、底面網１１と、相対する一対の第１側面網１２ａ及び第２側面網１２ｂと、他の相対する一対の第３側面網１３ａ及び第４側面網１３ｂと、必要に応じて取り付けられる上面網（不図示）とからなっていて、第１側面網１２ａと第２側面網１２ｂとを結ぶ前後方向の篭幅より、第３側面網１３ａと第４側面網１３ｂとを結ぶ左右方向の篭幅の方が長い矩形の箱形に形成され、内部に骨材としての栗石１４を充填した状態で建設資材として取り扱われるものである。しかし、篭幅の大小関係は前記の場合と逆であっても良く、前後方向の篭幅と左右方向の篭幅が等しくても構わない。
【００１８】
前記底面網１１と第１側面網１２ａ−第４側面網１３ｂとは、それぞれ菱形金網によって矩形のパネル状に形成されている。この菱形金網は、扁平螺旋形状に折曲した複数の列線１５を折曲部１５ａにおいて順次連繋してなるもので、前記第１側面網１２ａ−第４側面網１３ｂにおいては、前記列線１５が横向き（水平方向）に配設され、底面網１１においては、前記列線１５が第１側面網１２ａ及び第２側面網１２ｂの列線１５と同じ向き（篭本体１０の左右方向）に配設されている。しかし、列線１５の配設方向はこれと違っていても良く、第１側面網１２ａ−第４側面網１３ｂのうち少なくとも第３側面網１３ａ及び第４側面網１３ｂの列線１５を篭本体１０の高さ方向に配設することもできる。
【００１９】
前記底面網１１及び第１−第４側面網１３ｂは、各々を個別に形成して相互に連結しても良いが、例えば、前記底面網１１の列線１５の向きが前記第１側面網１２ａ及び第２側面網１２ｂと同じ向きである場合には、これら底面網１１と第１側面網１２ａと第２側面網１２ｂとを一連の菱形金網によって一体に形成することもできる。また、隣接する面網同士の連結は、各面網の外周を取り囲む針金製の外周枠１６の互いに対応する枠同士を、スクリューストッパーのような連結金具で結合することにより行われる。
【００２０】
前記線条部材２０は、針金やワイヤロープのような金属製の線材かあるいは化学繊維製の線材のような、引っ張り強度の大きい線材により形成されたもので、第１線条部分２０ａ及び第２線条部分２０ｂからなり、これら第１線条部分２０ａと第２線条部分２０ｂとが、第１側面網１２ａ側と第２側面網１２ｂ側との互いに相対する位置に向き合うように配設されている。換言すれば、前記第１線条部分２０ａと第２線条部分２０ｂとが、篭本体１０を前後に二分する仮想鉛直面に対して面対称をなすように配設されている。
【００２１】
前記第１線条部分２０ａは、前記第１側面網１２ａに網目を縫うように挿通されて中間部２０ｃが該第１側面網１２ａに係合し、該第１線条部分２０ａの前記中間部２０ｃより下方の部分は、篭本体１０の内部を斜め下向きに延び、下端部２０ｄが前記底面網１１の中央かその近傍の位置に固定的に係止され、該第１線条部分２０ａの前記中間部２０ｃより上方の部分は、篭本体１０の内側領域を斜め上向きに延びて該篭本体１０の中央上部に達し、上端部２０ｅにリフタ手段の吊り棒２１を挿通して掛けるための環状の吊掛部２０ｆが形成されている。
【００２２】
また、前記第２線条部分２０ｂは、前記第２側面網１２ｂに網目を縫うように挿通されて中間部２０ｃが該第２側面網１２ｂに係合し、該第２線条部分２０ｂの前記中間部２０ｃより下方の部分は、篭本体１０の内部を斜め下向きに延び、下端部２０ｄが前記底面網１１の中央かその近傍の位置に固定的に係止され、第２線条部分２０ｂの前記中間部２０ｃより上方の部分は、篭本体１０の内側を斜め上向きに延びて該篭本体１０の中央上部に達し、上端部２０ｅにリフタ手段の吊り棒２１を挿通して掛けるための環状の吊掛部２０ｆが形成されている。該第２線条部分２０ｂの吊掛部２０ｆと前記第１線条部分２０ａの吊掛部２０ｆとは、一カ所に集約されている。
【００２３】
前記第１線条部分２０ａ及び第２線条部分２０ｂの下端部２０ｄは、底面網１１の中央の同じ位置に係止されていることが望ましいが、中央近くの互いに近接する別の位置に係止されていても良い。
【００２４】
前記第１線条部分２０ａ及び第２線条部分２０ｂの中間部２０ｃは、前記第１側面網１２ａ及び第２側面網１２ｂに対して非固定の状態に係合している。即ち、図３に詳細に示すように、前記第１線条部分２０ａ及び第２線条部分２０ｂは、前記第１側面網１２ａ及び第２側面網１２ｂに篭本体１０の内側から網目を縫うように挿通され、前記中間部２０ｃが、上下の列線１５の折曲部１５ａが相互に連繋し合う部分即ち連繋部に篭本体１０の外側から係合している。
【００２５】
この場合、前記中間部２０ｃが第１側面網１２ａ及び第２側面網１２ｂに対して係合する位置は、石詰篭１を吊り上げた場合のバランスを考慮すると、該石詰篭１の高さ方向の中央かそれより上方寄りの位置であることが好ましく、図示した例では、第１側面網１２ａ及び第２側面網１２ｂにおける上から２列目の列線１５と３列目の列線１５との連繋部である。
【００２６】
また、前記第１線条部分２０ａ及び第２線条部分２０ｂの下端部２０ｄも、底面網１１における隣接する列線１５が連繋し合う連繋部に係止されている。
【００２７】
しかし、図４に示すように、前記第１側面網１２ａ及び第２側面網１２ｂと底面網１１とにおいて、隣接する列線１５の連繋部に骨線１７が挿通されている場合には、この骨線１７に前記中間部２０ｃ及び下端部２０ｄを係合させることもできる。
前記線条部材２０は、篭本体１０の複数箇所に配設されている。図示した例では２カ所に配設されているが、３カ所以上であっても良い。
【００２８】
前記構成を有する石詰篭１は、その内部に必要量の栗石１４を充填し、必要に応じて上面に上面網を取り付けたあと、前記線条部材２０の吊掛部２０ｆにリフト手段の一部を構成する吊り棒２１を挿通し、この吊り棒２１にワイヤロープ等を掛けて吊り上げ、目的の場所に運搬する。前記ワイヤロープは、前記吊り棒２１と共にリフト手段の一部を構成するものである。
なお、前記目的の場所とは、石詰篭１を一時的に保管するための保管場所や、トラックの荷台、あるいは工事現場における石詰篭１の設置場所等である。
【００２９】
ここで、前記石詰篭１を吊り上げたとき、図２に示すように、前記線条部材２０の第１線条部分２０ａ及び第２線条部分２０ｂには、篭本体１０の底面網１１に係止する下端部２０ｄに、該線条部分２０ａ，２０ｂに沿う方向の吊上力Ｆがそれぞれ作用し、この吊上力Ｆの合力として、底面網１１に上向きの力Ｆ１が作用する。この上向きの力Ｆ１は、前記底面網１１が栗石１４の重量により下方に湾曲するのを防止し、石詰篭１を底面が下方に湾曲しないように吊り上げて運搬することを可能にする。
【００３０】
一方、前記第１線条部分２０ａ及び第２線条部分２０ｂ部の中間部２０ｃが前記第１側面網１２ａ及び第２側面網１２ｂに係合する部分では、該第１側面網１２ａ及び第２側面網１２ｂに内向きの力Ｆ２が作用するが、この力Ｆ２は、石詰篭１の内部に充填された栗石１４に支持されて打ち消され、該第１側面網１２ａ及び第２側面網１２ｂが内側に変形するのが防止される。
【００３１】
前記石詰篭１が目的の場所に運搬されると、前記吊り棒２１及びワイヤロープは取り外され、前記線条部材２０も必要に応じて取り外される。この線条部材２０を取り外す場合に、該線条部材２０の下端部２０ｄが底面網１１に固定されていて全体を取り外すことができないときは、外部に露出する部分をカッターで切断して取り外せば良い。
【００３２】
前記第１線条部分２０ａと第２線条部分２０ｂとは、独立する線材で別々に形成されているが、連続する１つの線材で一体に形成することもできる。一体に形成した場合、第１線条部分２０ａの下端部２０ｄと第２線条部分２０ｂの下端部２０ｄとは一つに連なった状態になるが、この一つに連なった下端部２０ｄは、底面網１１にその網目を縫うように挿通させることにより非固定状態に係止させても、隣接する２つの列線１５の連繋部や骨線１７等に巻着するなどの方法によって固定的に係止させても良い。
【００３３】
また、図示した例では、各々の線条部材２０の位置で、該線条部材２０の２つの線条部分２０ａ，２０ｂの上端部２０ｅ同士が互いに集約されているが、全ての線条部材２０における全ての線条部分２０ａ，２０ｂの上端部２０ｅを一点に集約し、この一点で石詰篭１を吊り上げるようにしても良い。
【００３４】
あるいは、図２に鎖線で示すように、各線条部材２０における２つの線条部分２０ａ，２０ｂの上端部２０ｅを上方に向けて真っ直ぐ立ち上げ、吊掛部２０ｆに吊り棒２１を挿通して吊り上げるようにすることも可能である。
【符号の説明】
【００３５】
１      石詰篭
１０      篭本体
１１      底面網
１２ａ，１２ｂ，１３ａ，１３ｂ      側面網
１４      栗石
２０      線条部材
２０ａ      第１線条部分
２０ｂ      第２線条部分
２０ｃ      中間部
２０ｄ      下端部
２０ｅ      上端部
２０ｆ      吊掛部
【図１】
0005307864.tif 000002
【図２】
0005307864.tif 000003
【図３】
0005307864.tif 000004
【図４】
0005307864.tif 000005